(57)【要約】【課題】  作業者の手首に掛かる負担を軽減し、作業効率の向上を図ることのできるコンピュータ用マウスを提供する。【解決手段】  本発明は、コンピュータに座標位置データを入力するためのコンピュータ用マウス１１，３１であって、座標位置を検出可能な位置検出機構１８を有するマウス本体１２と、掌中に収容可能に形成され、指の位置に対応して少なくとも２個の操作部２２，２３が下面側に設けられたハンドル１３とを備えており、ハンドル１３は、その平面的な動きをマウス本体１２に伝達可能なようにマウス本体１２に連結されていることを特徴とする。【選択図】  図１
2006317989.tif 000002
【特許請求の範囲】
【請求項１】
コンピュータに座標位置データを入力するためのコンピュータ用マウスであって、
座標位置を検出可能な位置検出機構を有するマウス本体と、
掌中に収容可能に形成され、指の位置に対応して少なくとも２個の操作部が下面側に設けられたハンドルと、
を備えており、該ハンドルは、その平面的な動きを前記マウス本体に伝達可能なように該マウス本体に連結されていることを特徴とするコンピュータ用マウス。
【請求項２】
前記ハンドルは、連結部材を介して前記マウス本体の左方に連結されており、前記連結部材は、前記マウス本体に対して上下方向に回動可能且つ平面的な相対動作を拘束された状態で連結され、前記ハンドルは、前記連結部材に対して、前後方向に回動可能且つ平面的な相対動作を拘束された状態で連結されている請求項１に記載のコンピュータ用マウス。
【請求項３】
前記ハンドルは、所定角度前傾した姿勢を成し、前記マウス本体に対して上下方向に回動可能且つ平面的な相対動作を拘束された状態で、前記マウス本体の左方に連結されている請求項１に記載のコンピュータ用マウス。
【請求項４】
前記ハンドルは、連結部材を介して前記マウス本体の後方に連結されており、前記マウス本体に対して上下方向に回動可能且つ平面的な相対動作を拘束された状態で連結されている請求項１に記載のコンピュータ用マウス。
【請求項５】
前記ハンドルの左端部には、載置面に当接可能なようにハンドル支持部が下方に突出して設けられており、該ハンドル支持部が前記載置面に当接することにより前記ハンドルと前記載置面との間にハンドル握持空間が形成されるようになっている請求項１〜４のいずれか１の請求項に記載のコンピュータ用マウス。
【発明の詳細な説明】
【技術分野】
【０００１】
本発明は、コンピュータに座標位置データを入力するためのコンピュータ用マウスに関する。
【背景技術】
【０００２】
従来、コンピュータに座標位置データを入力する手段として、マウスが広く用いられている。この種のコンピュータ用マウスには、マウスパッド上を転動するボールの回転方向や回転量を位置検出部により検出するタイプのものや、或いは、発光器と受光器を備え、光学的に座標位置を検出するタイプのものや、或いは、位置検出部により検出した座標位置データをコンピュータに赤外線を利用して伝送するワイヤレスタイプのものなどがある。（例えば、特許文献１参照）。
【特許文献１】特開２０００−２６７８０６号公報
【発明の開示】
【発明が解決しようとする課題】
【０００３】
ところが、上記した従来のコンピュータ用マウスでは、図５に示すように、コンピュータに座標位置データを入力する時、マウス１上に手を載せて、左右のクリック操作ボタン２，３を人差し指や中指で押圧操作したり、両操作ボタン２，３の間にあるスクロール操作スイッチ４を操作したりするようになっているため、手首を上方に曲げた状態に保持する必要がある。したがって、作業者は、疲れ易く、集中力を維持することが難しく、作業効率の向上が図り難いといった問題があった。また、長時間、操作していると、作業者の手首に掛かる負担が増大し、腱鞘炎等を発症させるおそれがあるといった問題もあった。
【０００４】
本発明は、上記した課題を解決すべく成されたものであり、作業者の手首に掛かる負担を軽減し、作業効率の向上を図ることのできるコンピュータ用マウスを提供しようとするものである。
【課題を解決するための手段】
【０００５】
本発明は、コンピュータに座標位置データを入力するためのコンピュータ用マウスであって、座標位置を検出可能な位置検出機構を有するマウス本体と、掌中に収容可能に形成され、指の位置に対応して少なくとも２個の操作部が下面側に設けられたハンドルとを備えており、該ハンドルは、その平面的な動きを前記マウス本体に伝達可能なように該マウス本体に連結されていることを特徴とする。
【０００６】
そして、好ましくは、前記ハンドルは、連結部材を介して前記マウス本体の左方に連結されており、前記連結部材は、前記マウス本体に対して上下方向に回動可能且つ平面的な相対動作を拘束された状態で連結され、前記ハンドルは、前記連結部材に対して、前後方向に回動可能且つ平面的な相対動作を拘束された状態で連結されているのがよい。
【０００７】
また、前記ハンドルは、所定角度前傾した姿勢を成し、前記マウス本体に対して上下方向に回動可能且つ平面的な相対動作を拘束された状態で、前記マウス本体の左方に連結されていてもよい。
【０００８】
さらに、前記ハンドルは、連結部材を介して前記マウス本体の後方に連結されており、前記マウス本体に対して上下方向に回動可能且つ平面的な相対動作を拘束された状態で連結されていてもよい。
【０００９】
さらにまた、前記ハンドルの左端部には、載置面に当接可能なようにハンドル支持部が下方に突出して設けられており、該ハンドル支持部が前記載置面に当接することにより前記ハンドルと前記載置面との間にハンドル握持空間が形成されるようになっていてもよい。
【発明の効果】
【００１０】
本発明によれば、作業者が手を載置面に自然に置いた姿勢でマウスを操作することができ、作業者の手首等への負担を軽減することができるため、長時間の作業でも集中して行うことができ、作業効率の向上を図ることが可能となる等、種々の優れた効果を得ることができる。
【発明を実施するための最良の形態】
【００１１】
以下、図面を参照しつつ、本発明の実施の形態について説明する。なお、以下の説明では、本発明を、ワイヤレスタイプの光学式マウスに適用した場合について例示して説明する。
【００１２】
先ず、図１及び図２を参照しつつ、本発明の第１の実施の形態に係るコンピュータ用マウスについて説明する。ここで、図１は本実施の形態に係るコンピュータ用マウスを示す斜視図、図２はコンピュータ用マウスを示す側面図である。
【００１３】
本実施の形態に係るコンピュータ用マウス１１は、マウス本体１２と、ハンドル１３とを備えており、ハンドル１３は、第１の連結部材１４と第２の連結部材１５の２個の連結部材を介して、マウス本体１２の左方に連結されている。
【００１４】
マウス本体１２には、略直方体形状の合成樹脂製ケース１６の内部に回路基板１７が水平に取り付けられており、回路基板１７には、ＸＹ方向の座標位置を検出可能な光学的な位置検出機構１８や電池（図示せず）等が装着されている。また、ケース１６の底板には通過孔（図示せず）が設けられており、位置検出機構１８から発せられた光が前記通過孔を介して載置面１９の表面に到達可能となっている。
【００１５】
ハンドル１３は、掌中に収容可能なような横長扁平形状を成し、その左端部は下方に突出するように折曲され、ハンドル支持部２０が形成されている。そして、ハンドル支持部２０が載置面１９に当接することにより、ハンドル１３と載置面１９との間にハンドル握持空間２１が形成され、ハンドル１３の把持動作が円滑に行えるようになっている。また、ハンドル１３の左端側下面には、左側から第１操作部２２、第２操作部２３が設けられており、第１操作部２２及び第２操作部２３は、それぞれ、ハンドル１３を掌中に収容した時の人差し指及び中指の位置に対応して設けられている。そして、第１操作部２２は左クリック操作ボタン及びスクロール操作スイッチの機能を有し、第２操作部２３は右クリック操作ボタンの機能を有しており、第１操作部２２及び第２操作部２３を操作することにより、マウス本体１２の回路基板１７上に形成されたスイッチ入力回路の各マイクロスイッチが動作するように、該各マイクロスイッチと第１操作部２２及び第２操作部２３とは信号線２７により接続されている。
【００１６】
第１の連結部材１４は、第１取付具２４を介してマウス本体１２の側面に取付けられており、マウス本体１２に対して、上下方向に回動可能且つ平面的な相対動作を拘束された状態で連結されている。また、第２の連結部材１５は、第２取付具２５を介して第１の連結部材１４に取付けられており、第１の連結部材１４に対して、上下方向に回動可能且つ平面的な相対動作を拘束された状態で連結されている。さらに、第２の連結部材１５には、第３取付具２６を介してハンドル１３が取付けられており、ハンドル１３は、第２の連結部材１５に対して、前後方向に回動可能且つ平面的な相対動作を拘束された状態で連結されている。このように、ハンドル１３が第１の連結部材１４及び第２の連結部材１５を介してマウス本体１２に連結されることにより、ハンドル１３の平面的な動きはマウス本体１２に確実に伝達し、マウス本体１２はハンドル１３の平面的な移動方向及び移動距離に対応して移動するようになっている。
【００１７】
なお、上記した第１の実施の形態では、ハンドル１３は２個の連結部材１４，１５を介してマウス本体１２に連結されているが、連結部材は１個だけでもよく、或いは、図３に示すように、ハンドル１３は、人間工学的に握持し易いように、所定角度前傾した姿勢を成し、マウス本体１２に対して、上下方向に回動可能且つ平面的な相対動作を拘束された状態で、マウス本体１２の左方に直接、連結されていてもよい。
【００１８】
次に、図４を参照しつつ、本発明の第２の実施の形態に係るコンピュータ用マウスについて説明する。ここで、図４は本実施の形態に係るコンピュータ用マウスを示す平面図である。なお、以下の説明では、説明の簡略化のため、上記した第１の実施の形態の場合と同等の構成については、図４中、図１及び図２と同一の符号を付し、それらの構成に関する詳細な説明は省略する。
【００１９】
本実施の形態に係るコンピュータ用マウス３１は、マウス本体１２と、ハンドル１３とを備えており、ハンドル１３は、連結部材３２を介して、マウス本体１２の後方に連結されている。
【００２０】
連結部材３２は、棒状を成し、第１取付具３３を介してマウス本体１２の後面に取付けられており、マウス本体１２に対して、上下方向に回動可能且つ平面的な相対動作を拘束された状態で連結されている。また、連結部材３２は、第２取付具３４を介してハンドル１３の前面に取付けられており、ハンドル１３に対して、上下方向に回動可能且つ平面的な相対動作を拘束された状態で連結されている。このように、ハンドル１３が連結部材３２を介してマウス本体１２に連結されることにより、ハンドル１３の平面的な動きはマウス本体１２に確実に伝達し、マウス本体１２はハンドル１３の平面的な移動方向及び移動距離に対応して移動するようになっている。
【００２１】
上記したように上記した各実施の形態によれば、図５に示すように、作業者が手を載置面に自然に置いた姿勢でマウスを操作することができ、作業者の手首等への負担を軽減することができるため、長時間の作業でも集中して行うことができ、作業効率の向上を図ることが可能となる。
【００２２】
なお、上記した第１及び第２の実施の形態においては、ハンドル１３の下面に操作部２２，２３が２個設けられているが、これは単なる例示に過ぎず、左クリック操作ボタンと右クリック操作ボタンの間にスクロール操作スイッチを配設し、３個の操作部を設けてもよい。
【００２３】
また、マウス本体１２は、ハンドル１３の左方に設けられていてもよく、或いは、マウス本体１２の小型化及び薄型化を図ることにより、ハンドル１３の下方（すなわち、手の下）に設けることもできる。
【００２４】
さらに、マウス本体１２やハンドル１３の形状は、上記各実施の形態において説明した形状に限定されるものではなく、各種変更が可能である。
【００２５】
さらに、上記各実施の形態では、本発明をワイヤレスタイプの光学式マウスに適用した場合について説明したが、これは単なる例示に過ぎず、本発明は、載置面１９上を転動するボールの回転方向や回転量を位置検出機構により検出するタイプのマウスや、コンピュータにケーブル接続されるタイプのマウス等、他のタイプのマウスにも適用可能であることは言う迄もない。
【図面の簡単な説明】
【００２６】
【図１】本発明の第１の実施の形態に係るコンピュータ用マウスを示す斜視図である。
【図２】本発明の第１の実施の形態に係るコンピュータ用マウスを示す側面図である。
【図３】本発明の第１の実施の形態に係るコンピュータ用マウスの別の例を示す斜視図である。
【図４】本発明の第２の実施の形態に係るコンピュータ用マウスを示す平面図である。
【図５】本発明の第１及び第２の実施の形態に係るコンピュータ用マウスにおいてハンドルを把持した状態を示す側面図である。
【図６】従来のコンピュータ用マウスを示す斜視図である。
【符号の説明】
【００２７】
１１          コンピュータ用マウス
１２          マウス本体
１３          ハンドル
１４          第１の連結部材
１５          第２の連結部材
１８          位置検出機構
１９          載置面
２０          ハンドル支持部
２１          ハンドル握持空間
２２          第１操作部
２３          第２操作部
３１          コンピュータ用マウス
３２          連結部材
【図１】
2006317989.tif 000003
【図２】
2006317989.tif 000004
【図３】
2006317989.tif 000005
【図４】
2006317989.tif 000006
【図５】
2006317989.tif 000007
【図６】
2006317989.tif 000008